(57)【要約】【課題】ＬＥＤを照明として用いた場合においても、照明をオフにした際に、薄暗い照明が生じず、且つ、照明をオフにした際に、その点灯状態が安定する蛍スイッチを得る。【解決手段】蛍スイッチに三路スイッチを用い、照明器をオフにする際に、三路スイッチの一方に接続されて照明器に電流が流れず、点灯部に電流が流れ、照明器をオンにする際、三路スイッチの他方に接続されて点灯部に電流が流れ、照明器に電流が流れるように構成する。【選択図】図３
2009295463.tif 000002
【特許請求の範囲】
【請求項１】
照明器をオフにする際に前記照明器のスイッチの位置を点灯により示す点灯部を内部に有する蛍スイッチにおいて、
前記照明器をオフにする際に、三路スイッチの一方に接続されて前記照明器と結線する照明器用接続端子に電流が流れず、前記点灯部に電流が流れ、
前記照明器をオンにする際、前記三路スイッチの他方に接続されて前記照明器用接続端子に電流が流れ、前記点灯部に電流が流れないように構成されている
ことを特徴とする蛍スイッチ。
【請求項２】
前記照明器は、ＬＥＤからなる
ことを特徴とする請求項１に記載の蛍スイッチ。
【請求項３】
外部電源と結線するための接続端子と、
前記外部電源と他の蛍スイッチを結線する接続端子とを
更に備えることを特徴とする請求項１又は請求項２に記載の蛍スイッチ。
【請求項４】
請求項１乃至請求項３に記載の蛍スイッチの前記照明器用接続端子と、
前記照明器用接続端子と接続された前記照明器と
を有することを特徴とする照明ユニット。
【発明の詳細な説明】
【技術分野】
【０００１】
本発明は、照明がオフの際に照明用スイッチの位置を点灯により示す蛍スイッチ及びこれを用いた照明ユニットに関する。
【背景技術】
【０００２】
ＬＥＤ（Ｌｉｇｈｔ  Ｅｍｉｔｔｉｎｇ  Ｄｉｏｄｅ）は、消費電力や寿命等において蛍光灯より勝るため、従来の蛍光灯等の照明の代替として、白色光を発するＬＥＤを用いた照明器が期待されている。近年、白色光を発するＬＥＤ（Ｌｉｇｈｔ  Ｅｍｉｔｔｉｎｇ  Ｄｉｏｄｅ）の輝度が著しく向上しており、ＬＥＤを用いた照明器が上市されている。
【０００３】
特に、屋内照明では、照明がオフの際にスイッチの位置を点灯により示す蛍スイッチが用いられ、これにより、屋内が暗い場合においても、照明をオンに切り替えやすくなる（例えば、特許文献１参照。）。
【０００４】
このような蛍スイッチの構造について説明する。
図１（ａ）は、従来の蛍スイッチ及びその周辺を示す回路図である。この図では、照明器をオフした状態を示している。
【０００５】
蛍スイッチ１は、片切スイッチ１ａと、ネオン管１ｂ及び抵抗１ｃが並列に接続されているが、片切スイッチ１ａがオン・オフいずれの場合も、白熱電球や蛍光灯等の照明器４は、電源に対して直列に接続される。
【０００６】
片切スイッチ１ａをオンにした場合、一般的な交流１００Ｖ電源コンセントＡに直接、白熱電球や蛍光灯等の照明器４に電源に接続されるようになっている。
一方、片切スイッチ１ｂをオフにした場合、照明器４はネオン管１ｂ及び抵抗１ｃを介して電源に直列に接続されるようになっている。この場合、ネオン管１ｂ及び抵抗１ｃにより、照明器４に流れる電流は０．３ｍＡ程度と非常に小さいため、定格電流が４００〜１０００ｍＡ程度の電流を要する白熱電球や蛍光灯４は、点灯には至らない。これに対し、ネオン管１ｂは電流が小さくとも発光する為、蛍スイッチ１が点灯する仕組みになっている。
ＬＥＤを光源とした照明器（以下、「ＬＥＤ照明器」と略す。）を変更した場合も、上記の回路にこれを組み込むことが考えられる。
【０００７】
【特許文献１】特開２００３−７１７０号公報
【発明の開示】
【発明が解決しようとする課題】
【０００８】
図１（ｂ）は、図１（ａ）の回路の従来の照明器４をＬＥＤ照明器５に置換した回路図である。この図では、照明器をオフした状態を示している。尚、ＬＥＤは正方向に接続しなければ発光しないため、蛍スイッチ１とＬＥＤ照明器５との間に交流電流を整流してＬＥＤの正方向に流すためにブリッジダイオード６を配している。
【０００９】
ここで、ＬＥＤは０．３ｍＡ程度の小電流でもある程度発光するため、片切スイッチ１ａをオフにした場合においても、薄暗い照明が生じてしまう。
更に、上記の回路では、照明器の負荷が異なる場合、ネオン管１ｂに流れる電流量も異なるため、蛍スイッチの輝度に影響を与えてしまい、ネオン管１ｂ及び抵抗１ｃを所望の輝度を得るために設計を変更する必要がある。
【００１０】
本発明は、以上のような問題点を鑑みてなされたものであって、小電流でも発光するＬＥＤ等を照明として用いた場合においても、スイッチをオフにした際に、薄暗い照明が生じず、且つ、スイッチをオフにした際に、その点灯状態が安定する蛍スイッチを得ることを目的とする。
【課題を解決するための手段】
【００１１】
上記の課題は、照明器をオフにする際に前記照明器のスイッチの位置を点灯により示す点灯部を内部に有する蛍スイッチにおいて、前記照明器をオフにする際に、三路スイッチの一方に接続されて前記照明器と結線する照明器用接続端子に電流が流れず、前記点灯部に電流が流れ、前記照明器をオンにする際、前記三路スイッチの他方に接続されて前記照明器用接続端子に電流が流れ、前記点灯部に電流が流れないように構成されていることを特徴とする蛍スイッチにより解決される。
【発明の効果】
【００１２】
本発明の蛍スイッチでは、三路スイッチを用い、照明器をオフにした際に、蛍スイッチのみに電流が流れるので、照明器の負荷の種々に変更しても、蛍スイッチの輝度が変わることがなく、点灯状態が安定する。また、照明器には電力が漏れないようにしたので、小電流でも発光するＬＥＤのような発光部品を照明として用いた場合においても、薄暗い照明が生じない。
【発明を実施するための最良の形態】
【００１３】
以下、添付した図面を参照して、本発明の実施の形態について説明する。
【００１４】
（実施の形態）
図２（ａ），（ｂ）は、本発明の第１の実施形態に係る蛍スイッチの外形を示す斜視図であり、図２（ａ）、は蛍スイッチの表面斜視図であり、図２（ｂ）は、蛍スイッチの裏面斜視図である。
【００１５】
本発明の第１の実施の形態の蛍スイッチ１１は、図２（ａ）に示すように、表面側にスイッチ１１ａと、スイッチに組み込まれた点灯部１１ｂを有する。また、図２（ｂ）に示すように、裏面側に外部との接続端子１１Ａ，１１Ｂ，１１Ｃが６箇所に設けられている。
【００１６】
この蛍スイッチ１１とこれを用いた照明ユニットの回路図を図３（ａ）を参照して説明する。尚、この図では、照明器をオフした状態を示している。
【００１７】
蛍スイッチ１１は、一般的な交流１００Ｖ電源のコンセントＡと接続する接続端子１１Ａは、三路スイッチ１１ａと接続されている。蛍スイッチ１１をオンにする場合、三路スイッチの一方の配線と結線され、ＬＥＤ照明器５と接続する接続端子１１Ｂに接続するようになっている。また、蛍スイッチ１１をオフにする場合、三路スイッチは他方の配線と結線され、接続端子Ａ，ネオン管１１ｂ，抵抗１１ｃ，接続端子Ａの経路で電流が流れるようになっている。
尚、接続端子１１Ａと三路スイッチとの間に設けられた接続端子１１Ｃについては後述する。
【００１８】
ＬＥＤ照明器５は、十分な照度を得るための複数個のＬＥＤ５ａと、過度の電流が流れないための保護素子しての抵抗５ｂが直列に接続されている。
【００１９】
ＬＥＤ照明器５をオンにした場合、蛍スイッチ１１の接続端子１１Ｂから交流電流を整流するブリッジダイオード６，ＬＥＤ照明器５，ブリッジダイオード６，接続端子Ｂの経路で電流が流れ、ＬＥＤ照明器５が点灯するようになっている。
【００２０】
図３（ｂ）は、本発明の第１の実施形態に係る蛍スイッチの変形例をその周辺部とともに示す回路図である。
本変形例では、蛍スイッチ１１の接続端子１１Ａと三路スイッチとの間に設けられた接続端子１１Ｃに、他の蛍スイッチ及び照明器を結線し、一つの電源コンセントＡに対し、照明系を二股に設けて電源を統合しているので、照明ユニットとしての小型化を図ることができる。
【００２１】
上記の構成を有する本実施の形態の蛍スイッチ１１によれば、三路スイッチ１１ａにより、蛍スイッチ１１をオンにした場合、三路スイッチから先の照明器５に電流が流れ、蛍スイッチ１１をオフにした場合、三路スイッチから先の照明器５に電流が流れないため、小電流でも発光するＬＥＤのような発光部品を照明として用いた場合においても、薄暗い照明が生じない。
【００２２】
また、照明器５をオフにした際に、蛍スイッチから先の照明器に電流が流れないので、照明器の負荷の種々に変更しても、蛍スイッチの輝度が変わることがなく、点灯状態が安定する。
【００２３】
図４は、本発明の第２の実施形態に係る照明ユニットを示す回路図である。
【００２４】
本実施の形態では、従来の蛍スイッチ１を用い、ＬＥＤ照明器５に対して並列に抵抗７等の負荷を設けた点において第１の実施の形態と異なる。
【００２５】
抵抗７は、蛍スイッチ１がオフの際に、ＬＥＤ照明器５にＬＥＤが点灯しない程度の電流しか流れず、且つ、蛍スイッチ１がオンの際に、ＬＥＤ照明器に対し、十分な電流が流れるように、ＬＥＤ照明器５の抵抗５ｂに対し、十分に大きな負荷が設定されている。
【００２６】
上記の構成を有する本実施形態の照明ユニットによれば、従来の蛍スイッチ１を用いても、蛍スイッチ１がオフの場合に薄暗い照明が生じない。従って、第１の実施形態の照明ユニットより安価に製造することができる点で優位である。
【００２７】
一方、第１の実施形態の照明ユニットでは、第１の実施形態の照明ユニットと比較して、蛍スイッチ１１をオフにした場合に、蛍スイッチ１１から先の回路に電流が流れないので、蛍スイッチの点灯効率が向上する点で優位である。
【産業上の利用可能性】
【００２８】
本発明の蛍スイッチは、照明用スイッチに限らず、その他の電気機器のスイッチ用途にも適用できる。
【図面の簡単な説明】
【００２９】
【図１】図１（ａ），（ｂ）は、従来の蛍スイッチ及びその周辺を示す回路図である。
【図２】図２（ａ），（ｂ）は、本発明の第１の実施形態に係る蛍スイッチの外形を示す斜視図であり、図２（ａ）、は蛍スイッチの表面斜視図であり、図２（ｂ）は、蛍スイッチの裏面斜視図である。
【図３】図３（ａ），（ｂ）は、本発明の第１の実施形態に係る蛍スイッチ及びこれを用いた照明ユニットを示す回路図である。
【図４】図４は、本発明の第２の実施形態に係る照明ユニットを示す回路図である。
【符号の説明】
【００３０】
Ａ    ＡＣ１００Ｖ電源用コンセント
１    蛍スイッチ
１ａ  片切スイッチ
１ｂ  ネオン管
１ｃ  抵抗
４    照明器（白熱電球、蛍光管等）
５    ＬＥＤ照明器
５Ａ  接続端子
５ａ  ＬＥＤ
５ｂ  抵抗
６    ブリッジダイオード（整流器）
７    抵抗
１１  蛍スイッチ
１１Ａ  接続端子（電源接続用）
１１Ｂ  接続端子（照明器接続用）
１１Ｃ  接続端子（蛍スイッチ付属他照明ユニット接続用）
１１ａ  スイッチ（三路スイッチ）
１１ｂ  点灯部（ネオン管）
１１ｃ  抵抗
【図１】
2009295463.tif 000003
【図２】
2009295463.tif 000004
【図３】
2009295463.tif 000005
【図４】
2009295463.tif 000006